(57)【要約】【課題】虫、鳥や小動物による被害を効果的に防止することが薬液蒸散機を提供する。【解決手段】薬液を投入し、該薬液の気化物を放出する開口が形成された容器と、該容器を載置する導電体からなる発熱台と、該発熱台の下方に所定の間隔を空けて配置された回転板と、該回転板を回転させるモータとからなり、前記回転板の上方に回転方向に複数の永久磁石を交互に磁極を換えて配置した。また、発熱台の一端に温度検出器とモータ回転制御装置を設け、検出した温度に基づきモータの回転を制御可能に構成した。【選択図】        図１
0003159575.tif 000002
【実用新案登録請求の範囲】
【請求項１】
加熱装置による加熱によって薬液を蒸散させる薬液蒸散機であって、薬液を投入し、該薬液の気化物を放出する開口が形成された容器と、該容器を載置する導電体からなる発熱台と、該発熱台の下方に所定の間隔を空けて配置された回転板と、該回転板を回転させるモータとからなり、前記回転板の上方に回転方向に複数の永久磁石を交互に磁極を換えて配置したことを特徴とする薬液蒸散機。
【請求項２】
前記発熱台の一端に温度検出器とモータ回転制御装置を設け、検出した温度に基づきモータの回転を制御可能に構成したことを特徴とする請求項１に記載の薬液蒸散機。
【考案の詳細な説明】
【技術分野】
【０００１】
本考案は、野菜や果実の食害を防止する蒸散機であって、とくに虫、鳥や小動物による被害を効果的に防止できる薬液蒸散機に関するものである。
【背景技術】
【０００２】
従来より、野菜や果実の食害を防止する薬剤を使った技術が多数提案されている。例えば、殺虫剤をヒータの加熱によって蒸散させるものや、忌避剤として知られる植物乾留液の希釈液を使用して野菜や果実に直接噴霧する方法等がとられていた。
【０００３】
そのため、蒸散した殺虫剤から人体を防護する道具を必要としたり、大量の忌避剤を散布させる車両や散布装置を必要とし、多大の費用と労力がかかるものであった。
【０００４】
そこで、簡単な構造で鳥獣を忌避できる鳥獣忌避装置が提案されている（特許文献１参照。）。また、棒磁石に回転力付勢手段を配備した変動磁場発生構造を持つ防鳥装置もある（特許文献２参照。）。
【先行技術文献】
【特許文献】
【０００５】
【特許文献１】特開平１１−０４６６６１号公報
【特許文献２】特許第２７５７１１０号公報
【考案の概要】
【考案が解決しようとする課題】
【０００６】
しかしながら、上記特許文献１の鳥獣忌避装置の場合、容器内に収容された木酢液を温度保持土壌によって定温に保持する構造であるが、外気の温度変化や季節によって変化する日照時間の違いによって木酢液の蒸散量が異なり、効率のよい鳥獣忌避効果が得られないものであった。また、特許文献２の防鳥装置は、鳥類に対して一定の効果は見られるものの、虫などに対する効果に関しては何らの開示もないものであった。
【０００７】
上記の問題点に鑑み本考案者は、多大の費用や労力を掛けることなく、薬液を蒸散して虫、鳥や小動物による被害を効果的に防止することができ、しかも虫、鳥や小動物が活動を始める早朝や深夜などでも薬液を広い範囲に蒸散させることができる薬液蒸散機を提供するに至った。
【課題を解決するための手段】
【０００８】
このため、本考案の薬液蒸散機は、加熱装置による加熱によって薬液を蒸散させる薬液蒸散機であって、薬液を投入し、該薬液の気化物を放出する開口が形成された容器と、該容器を載置する導電体からなる発熱台と、該発熱台の下方に所定の間隔を空けて配置された回転板と、該回転板を回転させるモータとからなり、前記回転板の上方に回転方向に複数の永久磁石を交互に磁極を換えて配置したことを特徴とする。
【０００９】
また、前記発熱台の一端に、温度検出器とモータ回転制御装置を設け、検出した温度に基づきモータの回転を制御可能に構成したことを特徴とする。
【考案の効果】
【００１０】
本考案に係る薬液蒸散機によれば、導電体からなる発熱台と、該発熱台の下方に所定の間隔を空けて配置された回転板と、該回転板を回転させるモータとから構成されており、モータの回転による導電体と永久磁石との相対移動により、導電体内に発生する渦電流により発熱台を発熱できるという優れた効果を有する。
【００１１】
しかも、発熱台の一端に温度検出器とモータ回転制御装置を設け、検出した温度に基づきモータの回転を制御可能に構成しており、発熱台の表面温度を常に一定の温度に維持できるという効果を有する。
【００１２】
さらに、加熱蒸散させる薬液は、水などで希釈する必要がなく、原液を使用することが可能であり、少ない液量で忌避が可能となるという効果を有する。
【図面の簡単な説明】
【００１３】
【図１】本考案に係る薬液蒸散機の一実施例を示す平面説明図である。
【図２】本考案に係る薬液蒸散機の使用説明図である。
【図３】本考案に係る薬液蒸散機の温度制御を説明する模式図である。
【考案を実施するための形態】
【００１４】
以下、本考案の実施例を示す図面を参照しながら説明するが、本考案が本実施例に限定されないことは言うまでもない。図１は、本考案の薬液蒸散機の一実施例を示す正面説明図、図２は図１の回転板の平面説明図、図３は本考案の薬液蒸散機の温度制御を説明する模式図である。
【実施例】
【００１５】
図１に示すように、本考案の薬液蒸散機１は、基台２と、この基台２の中央に設けられたモータ３と、モータ３の回転軸４に取り付けられた回転板５と、回転板５の上面の回転方向に取り付けられた複数の永久磁石６と、この永久磁石６に対向して所定の間隔を空けて載置された導電板７と、この導電板７に着脱自在に載置される容器８とから構成されており、電源装置（図せず）からの電力供給によってモータ３が回転駆動し、永久磁石６が取り付けられた回転板５を回転させることによって導電板７が発熱し、容器８の内容物を蒸散させる。
【００１６】
基台２は剛性を有する金属材が使用され、その中央上部にはモータ３が回転軸４が上方となる位置に載置されている。そして、基台２の上部外周には金属メッシュ製の防護カバー９が設置されており、後述する回転板５の飛散を防止する。
【００１７】
回転板５は円形の金属板からなり、図２に示すように、その上面には、矩形の永久磁石６が磁極（Ｓ極、Ｎ極）を交互に換えて回転方向に複数配置され、取り付け金具１０を介して取り付けられている。また永久磁石６同士が挟む位置には、放射状に切り込み１１が形成されている。
【００１８】
導電板７は、アルミ、ステンレス、銅などの金属板が使用され、基台２の上方にゴムなどの絶縁体１２を介して取り付けられており、基台２と導電板７間の導通を遮断する。尚、本実施例においては２ｍｍ厚のアルミ板を使用した。
【００１９】
導電板７に載置される容器８は特に限定されるものではなく、薬液を投入して、蒸散した薬液を周囲に放出できる開口を有するものであればかまわない。
【００２０】
図３は、本考案の薬液蒸散機１の温度制御を説明する模式図である。図に示すように、導電板７の下方一端には温度センサー１３が設置されており、この温度センサー１３で測定した温度データはモータの回転を制御するコントローラ１４に送られ、予め設定された温度となる回転数にモータ３の回転を制御する。
【００２１】
上記構成の薬液蒸散機を使用してビニルハウス内で虫の忌避効果を確認した。ビニルハウス内の平面広さは約１０００平方メートルであり、このビニルハウス内に本考案の薬液蒸散機を１台設置し下記の条件でテストを行なった。
【００２２】
まず、忌避剤として竹酢液を準備した。竹酢液は、原液を使用し５００ｍｌのペットボトルに約１／３の量を注入しキャップを明けたまま導電板上に載せた。次にモータの回転数を電動板の表面温度が４０度となるように、１４５０ｒｐｍに設定し交流電源から電力を供給した。
【００２３】
結果、ペットボトルに注入した竹酢液は約１週間で無くなり、ビニルハウス全体に害虫などが見られなくなった。
【００２４】
以上の構成からなる、本考案の薬液蒸散機は、導電体からなる発熱台と、該発熱台の下方に所定の間隔を空けて配置された回転板と、該回転板を回転させるモータとから構成されており、モータの回転による導電体と永久磁石との相対移動により、導電体内に発生する渦電流により発熱台を発熱させるため、多大の費用や労力を掛けることなく、薬液を蒸散して虫、鳥や小動物による被害を効果的に防止することができ、しかも虫、鳥や小動物が活動を始める早朝や深夜などでも薬液を広い範囲に蒸散させることができる。
【符号の説明】
【００２５】
１            薬液蒸散機
２            基台
３            モータ
４            回転軸
５            回転板
６            永久磁石
７            導電板
８            容器
９            防護カバー
１０            取り付け金具
１１            切り込み
１２            絶縁体
１３            温度センサー
１４            コントローラ
【図１】
0003159575.tif 000003
【図２】
0003159575.tif 000004
【図３】
0003159575.tif 000005